Podtech/llm-jp-corpus-v4-ja_patent huggingface dataset:
(57)【要約】      （修正有）【課題】ランプボディを変化でき、窪面あるいは凸面に折ることができるＬＥＤ電気スタンドを提供する。【解決手段】ＬＥＤ電気スタンドにおいて、ベース１、ベース１に接続される灯台２、灯台２の端部に接続されるランプボディ、ランプボディに固定されるＬＥＤ発光ダイオード４を含み、ランプボディは、直方体形状からなる単位ランプボディ５を少なくとも３つ以上それぞれ可動的に接続することにより構成され、単位ランプボディ５をそれぞれ調整することにより窪面あるいは凸面を形成することができる。【選択図】図１
0003199292.tif 000002
【実用新案登録請求の範囲】
【請求項１】
LED電気スタンドにおいて、ベース、ベースに接続される灯台、灯台の端部に接続されるランプボディ、ランプボディに固定されるLED発光ダイオードを含み、ランプボディは、直方体形状からなる単位ランプボディを少なくとも３つ以上それぞれ可動的に接続することにより構成され、単位ランプボディをそれぞれ調整することにより窪面あるいは凸面を形成することができることを特徴とするLED電気スタンド。
【請求項２】
請求項１に記載のLED電気スタンドにおいて、ベースの上にUSBインタフェースが設置されたことを特徴とするLED電気スタンド。
【考案の詳細な説明】
【技術分野】
【０００１】
本実用新案は照明具デザイン分野に属する。特に一種変化ランプボディLED電気スタンドに関連する。
【背景技術】
【０００２】
LED（ Light Emitting Diode ；発光ダイオード）は一種電気エネルギーを可視光に転換する固形の半導体デバイスである。寿命が長い、エネルギー消費が低いなどのメリットを持つ。LED技術の発展につれて、LED光源の性能ももっと電気スタンドなどの照明具に応用していく。現有のLED電気スタンドは普通にペース、ランプシェード、ペースとランプシェードを接続するポーランドとスイッチを含まれる。ポーランドは一般的に一定の範囲に変状することができ、ポーランド及びLEDランプの照明角度を変えて照明方向を調整する。ユーザーはノブスイッチを回すことで、LEDランプの明るさおよび開閉をコントロールできる。しかし、一般的なLEDランプのビームはもっと集中して散光角度はもっと狭くて、白熱灯のような強い散光度ができない。現有LED電気スタンドはビームの明暗と集中度を調整することに欠点が存在する。
【考案の概要】
【考案が解決しようとする課題】
【０００３】
本実用新案の主の目的は一種変化ランプボディLED電気スタンドを提供する。そのランプボディは変化でき、ランプボディは窪面あるいは凸面に折ることができる。ベースの上にUSBインタフェースを設置される。
【課題を解決するための手段】
【０００４】
上記の目的を達成するため、本実用新案の技術方案は一種変化ランプボディLED電気スタンドを公開された。ベース、述べるベースに接続される灯台、灯台の端部に接続されるランプボディ、述べるランプボディ内に固定されるLED発光ダイオードウィ含まれる。述べるランプボディは三つ以上の長方形の小さな転動できるランプボディに個別に接続される。ランプボディは窪面あるいは凸面に折ることができる。ベースの上にUSBインタフェースを設置できる。
【０００５】
照射面積を増加する必要があるとき、ランプボディを組み合わせる長方形の小さなランプボディは凸面に折る。照射明るさを増加する必要があるとき、ランプボディを組み合わせる長方形の小さなランプボディは窪面に折る。
【考案の効果】
【０００６】
この変化ランプボディLED電気スタンドは変化ランプボディの形状によって、照射面積や照射明るさの需要を得る。そのほか、ベースのUSBインタフェースは他のIT製品を充電することに便利である。
【図面の簡単な説明】
【０００７】
【図１】本実用新案のLED電気スタンドの側面構造説明図である。
【考案を実施するための形態】
【０００８】
下記のような実施例は本実用新案にはっきり説明するが、本実用新案の保護範囲を限定されることを理解できない。当業者は、本実用新案の内容によって、本実用新案の非本質についての改進や調整など、まだ実用新案保護の範囲に属する。
【０００９】
図１のように、変化ランプボディLED電気スタンドはベース１、述べるベース１に接続される灯台２、電源線７、灯台２の端部に接続されるランプボディ、述べるランプボディ内に固定されるLED発光ダイオードウィ４含まれる。述べるランプボディは三つ以上の長方形の小さな転動できるランプボディ５に個別に接続される。ランプボディ３は窪面あるいは凸面に折ることができる。ベース１の上にUSBインタフェース６を設置できる。照射面積を増加する必要があるとき、ランプボディを組み合わせる長方形の小さなランプボディ５は凸面に折る。照射明るさを増加する必要があるとき、ランプボディを組み合わせる長方形の小さなランプボディ５は窪面に折る。実際使用するときに、長方形の小さなランプボディ５の数は三つ及び三つ以上になる。ベース１のUSBインタフェース６は他のIT製品を充電することに便利である。
【符号の説明】
【００１０】
１  ベース
２  灯台
３  ランプボディ
４  LED発光ダイオードウィ
５  ランプボディ
６  USBインタフェース
７  電源線
【図１】
0003199292.tif 000003
(57)【要約】      （修正有）【課題】排煙に伴う煙が排煙装置のフアン、モータ、電気配線に付着しない構造の排煙装置により清掃時排煙フアンを取り外す必要がない排煙装置を提供する。【解決手段】送風機１で発生させた風を、風圧を誘導する送風ダクト２により排煙ダクト５に設置されている排煙誘導吐出ノズル部３を覆っている部分に送風し、排煙出口方向に向いている送風吐出ノズル４より送風することにより煙吸入口に負圧を発生させ排煙を行なう構造とする。また、排煙フアン、モータ、電気配線が排煙ダクトに露出してないので排煙による油膜等の汚れが、排煙フアン、モータ、電気配線に付着しない。【選択図】図１
0003199300.tif 000002
【実用新案登録請求の範囲】
【請求項１】
送風機（1）送風ダクト（２）排煙誘導送風吐出ノズル部（３）送風吐出ノズル（４）排煙ダクト（５）からなり、送風機（１）発生させた、風圧を誘導する送風ダクト（２）により排煙ダクト（５）に設置されている排煙誘導吐出ノズル部（３）を覆っている部分に送風し送風吐出ノズル（４）より風圧を吐出し、送風吐出ノズル（４）複数個は排煙ダクト（５）の排煙方向にむけて１０〜４５°の角度を有することを特徴とする排煙装置。
【考案の詳細な説明】
【技術分野】
【０００１】
本考案は、排煙ダクトの排煙出口方向に向けた複数の送風吐出ノズルから送風機で発生させた風圧を送風ダクトで誘導し排煙出口方向に向けた送風吐出ノズルから送風して排煙出口方向へ空気の流れを発生させることにより煙吸入側に負圧を発生させ煙を吸入し排煙を行う装置である。
【背景技術】
【０００２】
従来、排煙装置（換気扇）は排煙装置のフアンで直接煙を吸引させて排煙を行っていたため、排煙装置のフアンや電気配線などに油膜など汚れが付着していた。
【先行技術文献】
【特許文献】
【０００３】
【特許文献１】特開２０１０−４８４６４号公報
【考案の概要】
【考案が解決しようとする課題】
【０００４】
従来は、排煙を排煙装置のフアンで直接吸引排煙を行うため排煙が直接排煙装置のフアン、モータ、電気配線に当たり油膜等が付着し汚れ、清掃を行うにはフアンを外して清掃を行っていたので排煙部にフアンをなくし以上の欠点を解決しようとするものである。
【課題を解決するための手段】
【０００５】
本考案は、送風機、送風機で発生させた風圧を誘導する送風ダクト、複数の送風吐出ノズルを有する排煙誘導送風吐出ノズル部及び送風吐出ノズルからなり送風吐出方向は排煙出口方向斜めに向け送風することにより排煙出口方向と反対方向排煙ダクトに負圧を発生させ煙を吸引し排煙をすることにより直接フアンで排煙を行はなわないことにより解決している。
【考案の効果】
【０００６】
上述のように本考案は、排煙ダクトに複数の送風吐出ノズルを排煙出口方向に向けて設置し送風機で発生させた風圧を送風ダクトにより誘導送風し送風吐出ノズルから送風することにより吸入側に負圧を発生させ煙を吸引して排煙を行うので、排煙が排煙フアン、フアン駆動モータ、フアン駆動モータ電気配線に触れないので、掃除の時にフアンを取り外す必要がなくモータ、フアン駆動モータ、電気配線を掃除する必要がない。
【図面の簡単な説明】
【０００７】
【図１】本考案の排煙装置の斜視図一部切り欠き
【図２】本考案の排煙装置の側面図一部切り欠き
【図３】図2のＩ−Ｉ線における断面図
【図４】送風吐出ノズルの拡大図
【図５】一実施例側面図
【考案を実施するための形態】
【０００８】
以下、本考案を実施するための形態を説明する。
図１、排煙ダクト（5）の中程に排煙誘導送風吐出ノズル部（３）に設置してある送風吐出ノズルは排煙出口方向(６ｂ)に向けて複数の送風吐出ノズル（4）を配し送風機（1）で発生させた風圧を誘導送風吐出ノズル部（３）を覆った送風ダクト（2）により誘導送風し前記吐出ノズル（4）より送風を吐出させることにより排気ダクトの吸入口（6a）に負圧を発生させて煙を吸引し排煙口（6ｂ）に排煙をする。
【実施例】
【０００９】
以下、添付図面に従って一実施例（図５）を説明する。
外壁の外側に送風機及び排煙誘導送風吐出ノズル部を設置してガス台上部の排煙収集フードに取付けた使用の実施例。
径３０ｃｍの鋼板等適宜の素材を用いた排煙ダクト（5）の排煙出口（6ｂ）の先端より３０ｃｍの所に排煙誘導送風吐出ノズルを排煙出口方向中心に３０度、排煙ダクトに対して２０度傾けて送風吐出ノズルを（4）排煙ダクトの円周上に径３ｃｍの送風吐出ノズルを８個配し送風吐出ノズルを覆う送風ダクトに５００ｗの送風機から送風を行い、排煙吸入口に負圧を発生させ排煙収集フードで収集した煙を排煙吸入口（6a）より吸入し排煙出口（６b）に排煙を行う。
【符号の説明】
【００１０】
１  送風機
２  送風ダクト
３  排煙誘導送風吐出ノズル部
４  送風吐出ノズル拡大図
５  排煙ダクト
【図１】
0003199300.tif 000003
【図２】
0003199300.tif 000004
【図３】
0003199300.tif 000005
【図４】
0003199300.tif 000006
【図５】
0003199300.tif 000007
(57)【要約】      （修正有）【課題】光の効果が高い、光線が均一に出るダブルＬＥＤパッケージ構造を提供する。【解決手段】ダブルＬＥＤパッケージ構造であって、ＬＥＤチップ１、杯碗２、外層ゴム３が含まれる。ＬＥＤチップ１は杯碗２表面の中部に設置される。蛍光粉ゴム層はＬＥＤチップ１に塗られる。蛍光粉ゴム層は異なる粒状性の蛍光粉ゴムの内層５と外層４を含む。外層ゴム３は蛍光粉ゴム層の外部にある。ＬＥＤチップ１のプラス・マイナス電極は導線６に接続される。【選択図】図１
0003199291.tif 000002
【実用新案登録請求の範囲】
【請求項１】
LEDパッケージにおいて、LEDチップ、杯碗、外層ゴムを含み、LEDチップは杯碗表面の中部に設置され、蛍光粉ゴム層はLEDチップに塗られ、外層ゴムは蛍光粉ゴム層の外部に設けられ、LEDチップのプラス及びマイナス電極は導線に接続され、蛍光粉ゴム層は異なる粒状性の内層と外層を含むことを特徴とするLEDパッケージ。
【請求項２】
請求項１に記載のLEDパッケージにおいて、蛍光粉ゴム層は内層から外層までの粒状性の順番が25-25ミクロンと5-12ミクロンであることを特徴とするLEDパッケージ。
【請求項３】
請求項１に記載のLEDパッケージにおいて、蛍光粉ゴム層の内層の直径は外層の直径の半分であることを特徴とするLEDパッケージ。
【請求項４】
請求項１に記載のLEDパッケージにおいて、LEDチップはブルーチップであることを特徴とするLEDパッケージ。
【考案の詳細な説明】
【技術分野】
【０００１】
本実用新案はLED照明分野に関連する。特に、一種ダブルLEDパッケージ構造に関連する。
【背景技術】
【０００２】
LED（ Light Emitting Diode ；発光ダイオード）は一種電気エネルギーを可視光に転換する固形の半導体デバイスである。寿命が長い、エネルギー消費が低いなどのメリットを持つ。LED 技術の発展につれて、LED の光源もよくなる。現有のLEDパッケージ構造の中に、主なLEDパッケージは、ブルーチップの中に黄色い蛍光粉を入れて、白光になる。このようなパッケージの白光LEDは、黄色い蛍光粉のサイズの影響に光の斑と光の効果に出る。サイズが小さいと、光の効果は低くなって、現有の照明要求に達成できない。大きいと、光の斑が悪くて、黄青輪現象に出やすい。この二つの状況はLEDの応用範囲と実際使用効果を真剣に影響する。
【考案の概要】
【考案が解決しようとする課題】
【０００３】
本実用新案の目的は現有技術の不足に対して、光の効果が高い、光線が均一に出るダブルLEDパッケージ構造を提供する。
【課題を解決するための手段】
【０００４】
上記の目的を達成するため、本実用新案の技術方案は一種ダブルLEDパッケージ構造である。LEDチップ、杯碗、外層ゴムを含まれる。LEDチップは杯碗表面の中部に設置される。蛍光粉ゴム層はLEDチップに塗られる。外層ゴムは蛍光粉ゴム層の外部にある。LEDチップのプラス・マイナス電極は導線に接続される。述べる蛍光粉ゴム層は異なる粒状性の蛍光粉ゴムの内と外両層を含まれる。最適化にして、述べる蛍光粉ゴムは内から外までの粒状性の順番が25-25ミクロンと5-12ミクロンである。蛍光粉ゴムの内層の直径は外層の半分である。述べるLEDチップはブルーチップになれる。
【考案の効果】
【０００５】
本実用新案のダブルLEDパッケージ構造は異なる粒状性の内外層分布且つ固定された方式を採用して、ブルーレイは異なる粒状性の蛍光粉ゴムに対して異なる励起道理に基けて、光の効果が高い、光線が均一に出る白光LEDを実現した。
【図面の簡単な説明】
【０００６】
【図１】本実用新案のダブルLEDパッケージ構造の構造説明図である。
【考案を実施するための形態】
【０００７】
下記の実施例は本実用新案をはっきり説明する。しかし、本実用新案の保護範囲を限定するものとして理解することはできない。当業者は本実用新案の内容によって、本実用新案のある非本質についての改進及び調整などは本実用新案の範囲に属する。
【０００８】
図１のように、ダブルLEDパッケージ構造はLEDチップ1、杯碗2、外層ゴム3を含まれる。LEDチップ1は杯碗2表面の中部に設置される。内蛍光粉ゴム５と外蛍光粉ゴム4はLEDチップ1に塗られる。外層ゴム3は蛍光粉ゴム層の外部にある。LEDチップ1のプラス・マイナス電極は導線6に接続される。蛍光粉ゴムは内から外までの粒状性の順番が25-25ミクロンと5-12ミクロンである。蛍光粉ゴムの内層の直径は外層の半分である。述べるLEDチップはブルーチップである。
【０００９】
本実用新案のダブルLEDパッケージ構造は異なる粒状性の内外層分布且つ固定された方式を採用して、ブルーレイは異なる粒状性の蛍光粉ゴムに対して異なる励起道理に基づけて、光の効果が高い、光線が均一に出る白光LEDを実現した。
【符号の説明】
【００１０】
1  LEDチップ
2  杯碗
3  外層ゴム
4  外蛍光粉ゴム
５  内蛍光粉ゴム
【図１】
0003199291.tif 000003
(57)【要約】      （修正有）【課題】適宜の太さを有する筆等の塗布用具の穂先を下に向けた状態で取付け、望ましい状態での乾燥を手軽に行える塗布用具の乾燥補助具を提供する。【解決手段】適宜な長さを有する支持棒本体１を設け、支持棒本体の一端部には、一定の径寸法を有する筆等の塗布具の軸部Ｘａを挟持する挟持具２を設け、支持棒本体の他端部には、支持棒本体を差し込むための差し込み穴３ａを有する吸盤３を設ける。【選択図】図２
0003199260.tif 000002
【実用新案登録請求の範囲】
【請求項１】
適宜な長さを有する支持棒本体（１）を設け、
該支持棒本体（１）の一端部には、一定の径寸法を有する筆等の塗布具（Ｘ）の軸部（Ｘａ）を挟持する挟持具（２）を設け、
前記支持棒本体（１）の他端部には、該支持棒本体（１）を差し込むための差し込み穴（３ａ）を有する吸盤（３）を設けた
ことを特徴とする筆等の塗布用具の乾燥補助具。
【考案の詳細な説明】
【技術分野】
【０００１】
この考案は、筆等の塗布用具の乾燥補助具に関するものである。
【背景技術】
【０００２】
従来、筆に限らず化粧用ブラシや刷毛等の塗布用具も使用後、洗って乾燥させ、洗ったブラシや刷毛を元の形状に復元維持し、なお且つ、穂先は吊るした状態（即ち，穂先が何れにも接触していない状態）で乾燥させることが型崩れせず望ましい。
【０００３】
しかし、吊るすための紐がない一般的な筆・ブラシ等の塗装具は数多く存在しているため、洗浄後、仕方なく穂先を上向きや横向きで乾燥することが多いように見受けられる。  
【０００４】
また、洗顔ブラシは、乾燥状態が悪い場合にはカビの繁殖や細菌が増殖してしまい、さらには腐食の原因にもなることが多く、また、横向きで乾燥させる場合には、なかなか乾かないうえに癖毛の原因となるものである。
【０００５】
これらの不便性を補うため、筆においては、穂先の胴部と腰部の境い目部分の胴部側を麻糸で巻き締め、両面接着テープを巻き、この両面接着テープ上に全幅に亘って糸を巻き付け、防水剤を塗布し締め固めてなる毛筆の技術が開示されている。例えば、特許文献１のように。
【先行技術文献】
【特許文献】
【０００６】
【特許文献１】実公平２−５９８６号公報
【０００７】
しかしながら、毛筆やブラシ、化粧ブラシ等の塗布用具に、一々このような複雑な手段を施すことは極めて煩雑である。
【考案の概要】
【考案が解決しようとする課題】
【０００８】
そこで、この考案の課題は、既存の簡単な部品を組み合わせにより、適宜の太さを有する筆等の塗布用具であっても、穂先を下に向けた状態で取付け、望ましい状態での乾燥を手軽に行なえることの出来る筆等の塗布用具の乾燥補助具を開発・提供することにある。
【課題を解決するための手段】
【０００９】
この考案の筆等の塗布用具の乾燥補助具は、
適宜な長さを有する支持棒本体を設け、
該支持棒本体の一端部には、一定の径寸法を有する筆等の塗布具の軸部を挟持する挟持具を設け、
前記支持棒本体の他端部には、該支持棒本体を差し込むための差し込み穴を有する吸盤を設けた
ことを特徴とする。
【考案の効果】
【００１０】
この考案によると、洗面所等にある鏡面等に、吸盤（３）を吸着し、挟持具（２）に、塗布具（Ｘ）の穂先（Ｘｂ）を下にした状態で挟握持させて乾燥することにより、穂先の先端より水分は落下し、型崩れすることをく穂先を乾燥できる等の効果を効果を有する。  
【００１１】
また、本願は、構造が簡単であり、素早く装着でき、極めて安価に製造できることにより、極めて便利である等の効果も有する。
【図面の簡単な説明】
【００１２】
【図１】この考案の一実施例を示し、（Ａ）は、平面図であり、（Ｂ）は、一部欠截側面図である。
【図２】この考案の使用状態を示す斜視図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図１，２に基づいて詳述すると、適宜な長さを有する支持棒本体（１）を設け、該支持棒本体（１）の一端部には、一定の径寸法を有する筆等の塗布具（Ｘ）の軸部（Ｘａ）を挟持する挟持具（２）を設け、前記支持棒本体（１）の他端部には、該支持棒本体（１）を差し込むための差し込み穴（３ａ）を有する吸盤（３）を設けたことを特徴とする筆等の塗布用具の乾燥補助具から構成される。
【００１５】
なお、支持棒本体（１）は、一例としては、３ｃｍ前後の長さを有する棒状体のもの、あるいは１０ｃｍまでの長さを有する棒状体のものであり、素材の一例としてはプラスチック製であるが、軽量な棒の部材であってもよい。
【００１６】
また、挟持具（２）とは、クリップ状のものであり、その一例としては、図１（Ｂ）においては４個の例を示したが、櫛歯状に「Ｕ字状の保持体を、１または複数個連接した保持体（２ａ）（２ａ′）を相対向して設け、これら保持体を軸（２ｂ）で枢着し、該軸にバネ（２ｃ）を嵌挿し、これら保持体は、該バネ（２ｃ）の付勢により、常時は閉じた状態に構成されている。
【００１７】
従って、保持体（２ａ）（２ａ′）の一端部（２ｄ，２ｄ′）を内方に押圧すれば、それぞれ保持体（２ａ）（２ａ′）の他端部（２ｅ，２ｅ′）は開き、開いた箇所に筆等の塗布具（Ｘ）の軸部（Ｘａ）を挟持し、前記一端部（２ｄ，２ｄ′）を離せば、該軸部（Ｘａ）は保持体（２ａ）（２ａ′）間に挟持されるものである。
【００１８】
そして、吸盤（３）は、ゴムや合成樹脂などの可塑性を利用して平滑面に吸着して内部を真空に近い状態にし気圧や水圧などの圧力の差を利用して物に吸着する器具・部品をいい、また、吸着盤ともいうが、吸着面とは反対側の突起部分に差し込み穴（３ａ）を形成しており、該穴には前記支持棒本体（１）の一端を差し込み固定するものである。
【００１９】
以上のように、吸盤（３）で、鏡等に吸着しておき、筆等の塗布具（Ｘ）の穂先（Ｘｂ）は、使用後水等で洗い、穂先を整えて、穂先の部分が下になるように軸部（Ｘａ）を保持体（２ａ）（２ａ′）挟み、吊り下げればセットし、乾燥させるものである。
【産業上の利用可能性】
【００２０】
この考案の箸の塗布具の乾燥用器具の技術を確立し、実施することにより、産業上利用できるものである。
【符号の説明】
【００２１】
１  支持棒本体
２  挟持具
２ａ，２ａ′保持体
２ｂ  軸
２ｃ  バネ
２ｄ，２ｄ′一端部
２ｅ，２ｅ′他端部
３  吸盤
３ａ  差し込み穴
Ｘ  筆等の塗布具
Ｘａ  軸部
Ｘｂ  穂先
【図１】
0003199260.tif 000003
【図２】
0003199260.tif 000004
(57)【要約】      （修正有）【課題】漏れ止めペット用尿パッドを提供する。【解決手段】漏れ止めペット用尿パッドの尿パッド主体は層状構造であり、不織布被覆層１、被覆層下側の吸収層及び吸収層下側のＰＥ膜漏れ止め層５を含み、漏れ止め層と吸収層との間に更に衛生紙吸収層４が設置され、吸収層は、尿パッド主体の中央部位に設置される膨張率の比較的低い第一吸収層２と、第一吸収層の外囲に設置される膨張率の比較的高い第二吸収層３とを含み、第二吸収層、被覆層、漏れ止め層が衛生紙吸収層の外形の大きさと同じである。漏れ止めペット用尿パッドは、外囲に設置される第二吸収層がペット尿液を急速吸収する時、ペット用尿パッドの外囲に凸辺を形成し、且つ中部に凹溝を形成するので、ペット尿液横漏れを有効に防止できる。【選択図】図２
0003199242.tif 000002
【実用新案登録請求の範囲】
【請求項１】
尿パッド主体は層状構造であり、不織布被覆層、前記被覆層下側の吸収層及び前記吸収層下側のＰＥ膜漏れ止め層を含み、前記漏れ止め層と前記吸収層との間に衛生紙吸収層が更に設置され、前記吸収層は、尿パッド主体の中央部位に設置される膨張率の比較的低い第一吸収層と、前記第一吸収層の外囲に設置される膨張率の比較的高い第二吸収層とを含み、前記第二吸収層が吸水後に前記第一吸収層よりも高くなることを特徴とする漏れ止めペット用尿パッド。
【請求項２】
前記第一吸収層の位置にある被覆層には均一に複数の吸収孔が設置されていることを特徴とする請求項１に記載の漏れ止めペット用尿パッド。
【請求項３】
前記第二吸収層の位置にある被覆層の上面には圧印層が設置されていることを特徴とする請求項１に記載の漏れ止めペット用尿パッド。
【考案の詳細な説明】
【技術分野】
【０００１】
本考案はペット用尿パッド、具体的には漏れ止めペット用尿パッドに属するペット用品に関する。
【背景技術】
【０００２】
現在、人々の生活水平を向上させることにより、猫、狗等のペットが人々の生活に入り始め、且つ地位がますます高くなり、ペットの衛生への要求もますます高くなる。然し、日常生活中で、ペットの排泄物の処理は大変な面倒になり、所有者が相当な精力で解決する必要がある。環境を保護するために、ペットの栖息場地がより快適になり、ペットの権利保護を満たし、同時にペットを清潔にする煩瑣労働を減少させるために、現在の多くの人々が、ペットの飼養時にペット用尿パッドを使用する。従来のペット用尿パッドは、不織布表面被覆層を含み、前記不織布表面被覆層の下面に、パルプ、ＰＰ繊維及び高吸水分子を混合して作製される吸収層が設置され、吸収層の外側面に、ＰＥ膜底部漏れ止め層が設置される。然し、従来のペット用尿パッド辺縁部分が生産過程で一段の不織布表面被覆層であり、使用過程で、ペット尿液が多い場合には、尿パッドの辺縁に浸出を発生しやすく、同時に、従来の漏れ止めペット用尿パッドの吸着効果も十分な理想でない。
【考案の概要】
【考案が解決しようとする課題】
【０００３】
本考案の目的は、従来の技術の前記問題を解決する、ペット尿液の横漏れを有効に防止するためのペット用尿パッドを提供することにある。
【課題を解決するための手段】
【０００４】
前記技術問題を解決するために、本考案は以下の技術方案を採用する。
【０００５】
尿パッド主体は層状構造であり、不織布被覆層、被覆層下側の吸収層及び吸収層下側のＰＥ膜漏れ止め層を含み、前記漏れ止め層と吸収層との間に更に衛生紙吸収層が設置され、前記吸収層は、尿パッド主体の中央部位に設置される膨張率の比較的低い第一吸収層と、第一吸収層の外囲に設置される膨張率の比較的高い第二吸収層とを含み、第二吸収層が吸水後に第一吸収層よりも高くなる漏れ止めペット用尿パッドである。
【０００６】
吸収の効果を考えると、第二吸収層は急速吸収層であり、パルプ、ＰＰ繊維及び急速吸収高吸水分子材料を混合して作製され、第一吸収層は普通の吸収層であり、パルプ、ＰＰ繊維及び普通の高吸水分子材料を混合して作製される。
【０００７】
本考案による前記普通の高吸水分子は、３９℃で０.９％塩水の吸収量が４８ｇ／ｇ、塩水吸収速度が３ｇ／秒とし、前記急速吸収高吸水分子は、３９℃で０.９％塩水の吸収量が５８ｇ／ｇ、塩水吸収速度が６ｇ／秒とする。
【０００８】
ペット用尿パッドがより良い吸着効果を具備させるために、前記第一吸収層の位置にある被覆層に均一に複数の吸収孔が設置される。
【０００９】
前記第二吸収層の位置にある被覆層の上面に圧印層が設置されている。
【考案の効果】
【００１０】
本考案は以下の有益な効果を備える。
【００１１】
吸収が速く、膨張係数が高く、外囲に設置される第二吸収層がペット尿液を急速吸収する時、ペット用尿パッドの外囲に凸辺を形成し、且つ中部に凹溝を形成するので、ペット尿液の横漏れを有効に防止できる。
【図面の簡単な説明】
【００１２】
【図１】図１は本考案の漏れ止めペット用尿パッドの構造見取図である。
【図２】図２は図１のＡ-Ａに沿う断面構造見取図である。
【図３】図３は尿パッドの吸水後の断面構造見取図である。
【考案を実施するための形態】
【００１３】
図面に他の主要な尿液吸収を奏しない一部分の構造を省略する。
【００１４】
以下、図面及び具体的な実施例により、本考案による構造特徴について詳細に説明する。
【００１５】
図１、図２及び図３の示すように、漏れ止めペット用尿パッドは、尿パッド主体が、層状構造とし、不織布被覆層１と、被覆層１下側の吸収層と、吸収層下側のＰＥ膜漏れ止め層５とを含み、前記漏れ止め層５と吸収層との間に衛生紙吸収層４が更に設置され、前記吸収層は、尿パッド主体の中央部位に設置される膨張率の比較的低い第一吸収層２と、第一吸収層２の外囲に設置される膨張率の比較的高い第二吸収層３とを含み、第二吸収層３が吸水後に第一吸収層２よりも高くなる。
【００１６】
吸収の効果を考えると、第二吸収層は急速吸収層であり、パルプ、ＰＰ繊維及び急速吸収高吸水分子材料を混合して作製され、第一吸収層は普通の吸収層であり、パルプ、ＰＰ繊維及び普通の高吸水分子材料を混合して作製される。
【００１７】
本考案による前記普通高吸水分子は、３９℃で０.９％塩水の吸収量が４８ｇ／ｇとし、塩水吸収速度が３ｇ／秒とし、前記急速吸収高吸水分子は、３９℃で０.９％塩水吸収量が５８ｇ／ｇとし、塩水吸収速度が６ｇ／秒とする。
【００１８】
前記第二吸収層３の位置にある被覆層の上側に圧印層６が設置される。
【００１９】
ペット用尿パッドがより良い吸着効果を具備させるように、前記第一吸収層２の位置にある被覆層１には、均一に複数の吸収孔が設置される。
【００２０】
前記第二吸収層３の位置にある被覆層１の上面には、圧印層６が設置されている。
【００２１】
使用過程で、第二吸収層３の吸収が速く、膨張係数が高く、外囲に設置される第二吸収層３がペット尿液を急速吸収する時、ペット用尿パッドの外囲に凸辺を形成し、且つ中部に凹溝を形成し、中部の第一吸収層２は吸収が遅く、膨張係数が低いため、凹溝を形成する。そのため、ペットの尿液横漏れを有効に防止できる。
【符号の説明】
【００２２】
１…被覆層、２…第一吸収層、３…第二吸収層、４…衛生紙吸収層、５…漏れ止め層、６…圧印層。
【図１】
0003199242.tif 000003
【図２】
0003199242.tif 000004
【図３】
0003199242.tif 000005
(57)【要約】      （修正有）【課題】尿パッド主体の被覆層と吸収層との間に呈色剤の複数の検出区を形成することで、使用者が一目見て明瞭になる検出機能を備えるペット用尿パッドを提供する。【解決手段】検出機能を備えるペット用尿パッドは、尿パッド主体１が層状の構造であり、最上部の不織布被覆層と、最下部のＰＥ膜漏れ止め層とを含み、被覆層及びＰＥ膜漏れ止め層との間に吸収層が設置され、前記漏れ止め層と吸収層との間には更に衛生紙吸収層が設置され、前記被覆層及び吸収層との間にそれぞれ異なる機能を備える呈色剤の複数の検出区２が形成されており、検出区２が異なる形状に設置される。【選択図】図１
0003199243.tif 000002
【実用新案登録請求の範囲】
【請求項１】
尿パッド主体が層状の構造であり、最上部の不織布被覆層と、最下部のＰＥ膜漏れ止め層とを含み、前記被覆層及び前記ＰＥ膜漏れ止め層との間には吸収層が設置され、前記漏れ止め層と前記吸収層との間には更に衛生紙吸収層が設置され、前記被覆層及び前記吸収層との間には、それぞれ異なる機能を備える呈色剤の複数の検出区が形成されており、前記検出区が異なる形状に設置される検出機能を備えるペット用尿パッド。
【請求項２】
前記呈色剤の検出区の形状を、標識、英字或は漢字とすることを特徴とする請求項１に記載の検出機能を備えるペット用尿パッド。
【請求項３】
前記吸収層が、前記衛生紙吸収層の外縁で積層されることを特徴とする請求項１に記載の検出機能を備えるペット用尿パッド。
【請求項４】
吸収層位置にある前記被覆層には、複数の吸収孔が均一に設置されていることを特徴とする請求項１に記載の検出機能を備えるペット用尿パッド。
【考案の詳細な説明】
【技術分野】
【０００１】
本考案はペット用尿パッドに関し、特には検出機能を備えるペット用尿パッドに関し、ペット用品の技術分野に属する。
【背景技術】
【０００２】
現在、人々の生活水平を向上させることにより、猫、狗等のペットが人々の生活に入り始め、且つ地位がますます高くなり、ペットの衛生への要求もますます高くなる。然し、日常生活で、ペットの排泄物の処理は大変な面倒になり、所有者が相当な精力で解決する必要がある。環境を保護するために、ペットの栖息場地がより快適になり、ペットの権利保護を満たし、同時にペットを清潔にするための煩瑣労働を減少させるために、現在の多くの人々が、ペットの飼養時にペット用尿パッドを使用する。
【０００３】
従来のペット用尿パッドは、一般的に尿液吸収の機能のみを備え、ペットの発病有無、尿糖指標等の了解に対して、尿液を専門的に収集して検出する必要があるが、適時でなく面倒になる。
【０００４】
特許文献１には、尿液呈色剤がアルコール及びイオン交換樹脂の作用下で、パルプに密接されて尿液検出区を形成する疾病検出機能を備えるペット用尿パッドの製造プロセスを開示する。このような尿パッドは尿液検出機能を具備するが、以下の欠陥がある。１、手順が煩瑣で、製造プロセスが複雑である。２、一種の尿液指標をしか検出できない。３、表示の色が単調であるので、使用者が直接的に情報取得できない。
【０００５】
特許文献２には、尿パッドに試紙を設置することで検出機能を実現する多機能ペット用尿パッドを開示している。然し、このような尿パッドも以下の欠陥が存在する。１、同時に多種の体液指標を検出できるが、試紙の面積が小さく、明らかに使用できない。２、同様に表示される色の単調という欠陥が存在し、使用者が直接の情報を取得できない。
【先行技術文献】
【特許文献】
【０００６】
【特許文献１】中国特許出願公開第１０３９９９７８２号明細書
【特許文献２】中国実用新案公告第２０３８０１４５１号明細書
【考案の概要】
【考案が解決しようとする課題】
【０００７】
本考案の目的は体液検出機能を備えるペット用尿パッドを提供することで、従来技術の前記問題を解決することである。
【課題を解決するための手段】
【０００８】
前記技術問題を解決するために、本考案は以下の技術方案を採用する。
【０００９】
検出機能を備えるペット用尿パッドの、尿パッド主体が層状の構造であり、最上部の不織布被覆層と、最下部のＰＥ膜漏れ止め層とを含み、被覆層とＰＥ膜漏れ止め層との間には吸収層が設置され、前記漏れ止め層と吸収層との間には更に衛生紙吸収層が設置され、前記被覆層及び吸収層との間にはそれぞれ異なる機能を備える呈色剤の複数の検出区が形成されており、前記検出区が異なる形状に設置される。
【００１０】
前記呈色剤の検出区の形状を、標識、英字或は漢字とし、例えば、尿糖検出区がＧＬＵ（尿糖の縮写）とする。
【００１１】
前記吸収層が、前記衛生紙吸収層の外縁で積層される。
【００１２】
良く吸収させるために、吸収層位置にある前記被覆層には、複数の吸収孔が均一に設置される。
【考案の効果】
【００１３】
本考案は以下の有益な効果を備える。
【００１４】
１、尿パッド主体の被覆層と吸収層との間には呈色剤の複数の検出区を形成していることで、検出機能を複数の区に区分できる。
【００１５】
２、本考案は、種々の形状として形成され、使用者が一目見て明瞭になる。
【図面の簡単な説明】
【００１６】
【図１】図１は本考案の実施例の俯視構造見取図である。
【考案を実施するための形態】
【００１７】
以下、図面及び具体的な実施例により、本考案による技術的特徴について詳細に説明する。
【００１８】
図１に示す検出機能を備えるペット用尿パッドは、尿パッド主体１が層状の構造であり、最上部の不織布被覆層と、最下部のＰＥ膜漏れ止め層とを含み、被覆層及びＰＥ膜漏れ止め層との間には吸収層が設置され、前記漏れ止め層と吸収層との間には衛生紙吸収層が更に設置され、前記被覆層と吸収層との間には、それぞれ異なる機能を備える呈色剤の複数の検出区２が形成されており、前記検出区２が異なる形状に設置される。
【００１９】
前記呈色剤の検出区の形状を、標識、英字或は漢字とし、例えば、尿糖検出区がＧＬＵ（尿糖の縮写）とする。
【００２０】
前記吸収層は、前記衛生紙吸収層の外縁で積層される。
【００２１】
本考案では、前記吸収層は、パルプ、ＰＰ繊維及び急速吸収高吸水分子を混合して作製される。
【００２２】
より良く吸収させるために、吸収層位置にある前記被覆層には、複数の吸収孔が均一に設置されている。
【００２３】
使用過程で、尿液が被覆層の下方に浸入して検出区と接触し、検出区の呈色剤と尿液とが反応して異なる色及び形状の表示を得る。このため、使用者がペットの身体状況について一目瞭然である。
【符号の説明】
【００２４】
１…尿パッド主体、２…検出区。
【図１】
0003199243.tif 000003
(57)【要約】      （修正有）【課題】取り外しが便利で、照射範囲が広い、ＬＥＤランプを提供する。【解決手段】ＬＥＤランプは、管状フード１を含み、フード１の両端に設置されたソケット２、ＬＥＤの発光ダイオード３、固定パネル４を有する。固定パネル４はいくつかの四角錐モジュール５より組み合わせ、四角錐モジュール５は四角錐表面と組み部分を含み、組み部分の一端にスロットが設置され、他の一端に差し込む棒が設置される。四角錐モジュール５は一つずつのスロットと差し込む棒を細長形に接続している。ＬＥＤの発光ダイオード３は四角錐表面に固定され、その四角錐表面には反射コーティングを塗りつけた。固定パネル４に四角錐モジュール５が直線に沿って並び、四角錐モジュール５の錐面は直線と４５度になる。【選択図】図１
0003199288.tif 000002
【実用新案登録請求の範囲】
【請求項１】
LEDランプにおいて、管状のフード、当該フードの両側に設けられたソケット、LEDの発光ダイオード、固定パネルを含み、固定パネルは複数の四角錐モジュールを組み合わせることにより構成され、四角錐モジュールは四角錐表面と組み部分を含み、組み部分の一端にはスロットが設けられ、他の一端には差し込み棒が設けられ、四角錐モジュールはスロットと差し込み棒を順次接続することにより細長形状になるように形成され、LEDの発光ダイオードは四角錐表面に固定され、四角錐表面には反射コーティングが塗りつけられたことを特徴とするLEDランプ。
【請求項２】
請求項１に記載のLEDランプにおいて、固定パネルの四角錐モジュールを一つずつ長手方向に沿って配置し、四角錐表面が長手方向と４５度になることを特徴とするLEDランプ。
【考案の詳細な説明】
【技術分野】
【０００１】
本実用新案は照明器具の設計領域に所属され、特に一つのLEDランプに関連する。
【背景技術】
【０００２】
LED（ Light Emitting Diode ；発光コーティング）は電気エネルギーを可視光線の固形の半導体部品であり、寿命が長く、消耗が低い等の利点がある。人々はエコ保護照明に対する要求が高ければ高いほど良いということに伴い、省エネルギー、高い照明効果、使用寿命が長い等の利点を持つLEDランプは徐々に伝統の蛍光ランプを取って変え、初めて人々の日常生活に運用された。現有のLED直型のランプはパイプ、パイプに固定されたPCB板「プリント基板」、パイプの両方に設置されたソケットより組み合わせる。PCB板にLEDランプの板が設置され、PCB板はLEDランプの板のLEDランプと電気で繋がっている。ソケットにランプの足が付き、ランプの足はPCB板と電気で繋がっている。PCB板は単一の電源両端を採用した構造で、PCB 板はランプの足と外部電源が繋がっていることによって接続して、ＬＥＤのランプに電源を提供する。ＬＥＤランプはＬＥＤの発光ダイオードが直型板に設置され、ビームは比較的集中され、フラット角度は比較的に狭く、白熱電球のように比較的な強いフラット度になれない、陰影を生じ、大いにその使用効果に影響する。 現在の市況上のＬＥＤのランプは全て一体設計されたから、少量のＬＥＤの発光ダイオードに問題が出たら、取り替えづらいです。
【考案の概要】
【考案が解決しようとする課題】
【０００３】
本実用新案は現有の技術の欠点と不足を克服するため、ある組み合わせ構造で、取り替えやすい外せるLEDランプを提供する。
【課題を解決するための手段】
【０００４】
以上の目的に達成するため、本実用新案の案は外せるLEDランプはランプのホヤ、ランプのホヤの両側に置いているソケット、LED発光のダイオード、固定パネルを含めむ。その固定パネルはいくつかの四角錐モデルで組み合わせる。その四角錐モデルは四角錐の表面と組み合わせ部分を含め、組み合わせ部分の一端にスロットを設置され、他の一端にプランジャーを設置された。LED発光のダイオードはその四角錐の表面に固定され、その四角錐の表面では反射コーティングを塗りつけたということである。
【０００５】
進化された面では、固定パネルの四角錐を一つずつラインで配列されることができ、四角錐の表面がラインと４５度になるということである。
【考案の効果】
【０００６】
本実用新案の固定パネルはいくつかの四角錐モデルより組み合わせ、取り外すことが便利で、一部分で問題が出たら、交換することができ、それに、LEDランプの照射範囲が広い。
【図面の簡単な説明】
【０００７】
【図１】本実用新案の外せるLEDランプの構造図。
【図２】外せるLEDランプの四角錐モデルの構造図。
【考案を実施するための形態】
【０００８】
以下あげた実施の例で本実用新案を更に説明するが、本実用新案の保護範囲に対する制限と理解してはいけない。本領域の技術メンバーは本実用新案の内容により本実用新案に非本質的な改造と調整を行い、その例も本実用新案の保護範囲に所属される。
【０００９】
外せるLEDランプ、図１、図２通りに、管状フード１を含めて、所属されるフード１の両端に設置されたソケット２、ＬＥＤの発光ダイオード３、固定パネル４； その固定パネル４はいくつかの四角錐モジュール５より組み合わせ、四角錐モジュール５は四角錐表面６と組み部分７を含め、組み部分７の一端ではスロット８を設置され、他の一端では差し込む９を設置され； 四角錐モジュール５は一つずつのスロット８と差し込む棒９を細長形に接続している。ＬＥＤの発光ダイオード３は四角錐表面６に固定され、その四角錐表面６は反射コーティングを塗りつけた。 固定パネル４に四角錐５は一つずつ直線に沿って並んで、四角錐５の錐面は直線と４５度になる。
【００１０】
本実用新案の固定パネルはいくつかの四角錐モジュールより組み合わせ、取り外すことが便利で、一部分で問題が出たら、交換することができ、それに、LEDランプの照射範囲が広い。
【００１１】
上記は、単なる本実用新案の具体的な実施方式しかない。しかし、実用的な新型の保護範囲はこれに限定されるものではない。すべての創造的な労働をせずに考えた変化や変更は、本実用新案の保護範囲に覆われる。したがって、本実用新案の保護範囲は、権利要求書を限定された範囲によって定義されるべきである。
【符号の説明】
【００１２】
１  フード
２  ソケット
３  発光ダイオード
４  固定パネル
５  四角錐モジュール
６  四角錐表面
７  組み部分
８  スロット
９  棒
【図１】
0003199288.tif 000003
【図２】
0003199288.tif 000004
(57)【要約】      （修正有）【課題】照射範囲が広いＬＥＤランプを提供する。【解決手段】ＬＥＤランプは、管状シェード１、ランプシェードの両端に設置されるランプホルダー２、ＬＥＤ発光ダイオード３、固定パネル４を含む。固定パネル４は複数の四角錐５からなる。ＬＥＤ発光ダイオード３は四角錐５表面に固まれる。四角錐５表面は反射コーティングを有する。固定パネル４上の四角錐５は個別に直線に沿って配置され、四角錐表面と直線は４５°角度になる。固定パネル４は複数の四角錐５を有する。【選択図】図１
0003199289.tif 000002
【実用新案登録請求の範囲】
【請求項１】
LEDランプにおいて、管状のランプシェード、当該ランプシェードの両端に設置されるランプホルダー、LED発光ダイオード、固定パネルを含み、固定パネルは複数の四角錐からなり、LED発光ダイオードは四角錐表面に固定され、四角錐表面は反射コーティングが施されたことを特徴とするLEDランプ。
【請求項２】
請求項１に記載のLEDランプにおいて、固定パネル上の四角錐は長手方向に沿って順次配置されたことを特徴とするLEDランプ。
【考案の詳細な説明】
【技術分野】
【０００１】
本実用新案は照明具デザイン分野に属する。特に一種LEDランプに関連する。
【背景技術】
【０００２】
LED（ Light Emitting Diode ；発光ダイオード）は一種電気エネルギーを可視光に転換する固形の半導体デバイスである。寿命が長い、エネルギー消費が低いなどのメリットを持つ。人々は緑の照明の要求についてますます厳しくなるにつれて、エネルギー消費が低い、光の効果が高い、使用寿命が長いなど多くのメリットを持つLED照明ランプは徐々に伝統蛍光灯を置き換えて、人の日常生活の中に普及して利用し始める。
【０００３】
現有LED直管ランプは管体、管体内に固定されるPCBボード（プリント電気回路基板）、管体の両端に設置されるランプホルダーからなる。PCBボードの上にLED光ボードを設置される。PCBボードはLED光ボードの上のLEDランプに接続される。ランプホルダーに光フィートを固定される。光フィートはPCBボードに接続される。PCBボードは単一電源で両端入力構造を採用される。PCBボードは光フィートを通じて外部電源に接続されて、LEDランプに電源を提供する。
【０００４】
一般的なLEDランプ、LED発光ダイオードは直ボードに設置されて、ビームは もっと集中して散光はもっと狭くて、白熱灯のような強い散光度ができない。陰影を落として、使用効果に大きな影響を与える。
【考案の概要】
【考案が解決しようとする課題】
【０００５】
本実用新案の主の目的は現有記述の欠点や不足を克服するため、一種照射範囲が広いLEDランプを提供する。
【課題を解決するための手段】
【０００６】
上記の目的を達成するため、本実用新案の技術方案はLEDランプは、管状シェード、所属するランプシェードの両端に設置されるランプホルダー、LED発光ダイオード、固定パネルを含まれる。述べる固定パネルは複数の四角錐からなる。LED発光ダイオードは述べる四角錐表面に固まれる。述べる四角錐表面は反射コーティングがある。
【０００７】
最適化にして固定パネル上の四角錐を個別に直線に沿って配置される。四角錐表面と直線に45°角度になる。
【考案の効果】
【０００８】
本実用新案の固定パネルは複数の四角錐からなる。四角錐表面は反射コーティングがある。照射範囲が広い特性を持つ。
【図面の簡単な説明】
【０００９】
【図１】本実用新案のLEDランプ構造説明図である。
【考案を実施するための形態】
【００１０】
下記のような実施例は本実用新案にはっきり説明するが、本実用新案の保護範囲を限定されることを理解できない。当業者は、本実用新案の内容によって、本実用新案の非本質についての改進や調整など、まだ実用新案保護の範囲に属する。
【００１１】
LEDランプは図１のように、管状シェード1、所属するランプシェード1の両端に設置されるランプホルダー2、LED発光ダイオード3、固定パネル4を含まれる。述べる固定パネル4は複数の四角錐5からなる。LED発光ダイオード3は述べる四角錐5表面に固まれる。述べる四角錐5表面は反射コーティングがある。固定パネル4上の四角錐5を個別に直線に沿って配置される。四角錐5表面と直線に45°角度になる。
【００１２】
本実用新案の固定パネルは複数の四角錐からなる。四角錐表面は反射コーティングがある。照射範囲が広い特性を持つ。
【００１３】
上記は単なる本実用新案の具体多岐な実施方式しかない。しかし、本実用新案の保護範囲はこれに限定されるものではない。すべての創造的な労働をせずに考えた変化や変更は、本実用的な新型の保護範囲に覆われる。したがって、本実用的な新型の保護範囲は、権利要求書を限定された範囲によって定義されるべきである。
【符号の説明】
【００１４】
1  シェード
2  ランプホルダー
3  LED発光ダイオード
4  固定パネル
5  四角錐
【図１】
0003199289.tif 000003
(57)【要約】      （修正有）【課題】浴室用ＬＥＤランプを提供する。【解決手段】丸いランプホルダー２、ランプホルダーに設置されるランプビーズ１を含まれる。述べるランプホルダー２の外側に二つのリング３がある。リング３の間及びリング３とランプホルダー２の間に隙間になる。リング３の表面にＬＥＤランプビーズ１を設置される。リング３とランプホルダー２の上部に排気器４を接続される。排気器４の上部に電源５を接続される。排気器４側面に出口６を設置される。排気器４下部両側に個別にアニオン発生器７を設置される。【選択図】図１
0003199290.tif 000002
【実用新案登録請求の範囲】
【請求項１】
浴室用LEDランプにおいて、円柱状のランプホルダー、ランプホルダーの下側面に設置されるランプビーズを含み、ランプホルダーの外側に第１及び第２のリングが設けられ、第１のリングと第２のリングの間、及び第１のリングとランプホルダーの間に隙間が形成され、第１及び第２のリングの下側面にランプビーズが設置され、第１及び第２のリングとランプホルダーの上方に排気器が接続され、排気器の上部に電源が接続され、排気器とランプホルダー並びに第１及び第２のリングとの間にはアニオン発生器が設置されることを特徴とする浴室用LEDランプ。
【考案の詳細な説明】
【技術分野】
【０００１】
本実用新案は照明具のデザイン分野に属する。特に、一種浴室用LEDランプに関連する。
【背景技術】
【０００２】
LED技術の改善及び向上に従って、それを使用することも普及し続ける。だんだん伝統的な電球を代ってLEDランプが出ていく。LEDランプは伝統的なタングステンより、スペースが小さい、エネルギー消費が低い、使用寿命が長いなどのメリットを持つ。しかし、LEDランプは運行するとき、大量な熱量を生成するから、LED運行環境を改善するため、一般にバルブ内部に放熱ボードを設置される。放熱ボードからLEDの運行熱量を伝導される。放熱スペースお小さいし、放熱スビードも遅いし、長い時間使うと、ランプの使用効果と使用寿命に影響を与える。甚だしくは熱量が高過ぎてランプ全体を焼ける。それに、現有LEDランプの機能も単一で、伝統的な浴室用の排気器とLEDランプは独立にデザインするから、劣る放熱や大きなスペースなどの問題がある。
【考案の概要】
【考案が解決しようとする課題】
【０００３】
本実用新案の目的は一種浴室用LEDランプを提供する。現有技術の欠点や不足を克服して、排気器とLEDランプを一体にデザインして、現有の悪い放熱性及び大きなスペースなどの問題を解決するためである。
【課題を解決するための手段】
【０００４】
上記の目的を達成するため、本実用新案の技術方案は一種浴室用LEDランプである。丸いランプホルダー、ランプホルダーに設置されるランプビーズを含まれる。述べるランプホルダーの外側に二つのリングがある。リングの間及びリングとランプホルダーの間に隙間になる。リングの表面にLEDランプビーズを設置される。リングとランプホルダーの上部に排気器を接続される。排気器の上部に電源を接続される。排気器側面に出口を設置される。排気器下部両側に個別にアニオン発生器を設置される。
【考案の効果】
【０００５】
本実用新案のLEDランプはリングとランプホルダーの間に隙間を利用して、ダクトとランプホルダーを一体にしてデザインする。LEDランプの散熱性能を高める効果を達成する。同時に、排気器とLEDランプのスペースを減少して、それに、アニオン発生器は空気を浄化する効果がある。
【図面の簡単な説明】
【０００６】
【図１】本実用新案の浴室用LEDランプの構造説明図である。
【図２】本実用新案の浴室用LEDランプのランプホルダーの構造説明図である。
【考案を実施するための形態】
【０００７】
下記の実施例は本実用新案をはっきり説明する。しかし、本実用新案の保護範囲を限定するものとして理解することはできない。当業者は本実用新案の内容によって、本実用新案のある非本質についての改進及び調整などは本実用新案の範囲に属する。
【０００８】
浴室用LEDランプで、図１、2示す通りである。丸いランプホルダー2、ランプホルダーに設置されるランプビーズ1を含まれる。述べるランプホルダー2の外側に二つのリング3がある。リング3の間及びリング3とランプホルダー2の間に隙間になる。リング3の表面にLEDランプビーズ1を設置される。リング3とランプホルダー2の上部に排気器4を接続される。排気器4の上部に電源5を接続される。排気器4側面に出口6を設置される。排気器4下部両側に個別にアニオン発生器7を設置される。本実用新案のLEDランプはリングとランプホルダーの間に隙間を利用して、ダクトとランプホルダーを一体にしてデザインする。LEDランプの散熱性能を高める効果を達成する。同時に、排気器とLEDランプのスペースを減少して、それに、アニオン発生器は空気を浄化する効果がある。
【符号の説明】
【０００９】
1  ランプビーズ
2  ランプホルダー
3  リング
4  排気器
5  電源
6  出口
7  アニオン発生器
【図１】
0003199290.tif 000003
【図２】
0003199290.tif 000004